(57)【要約】【課題】磁界の検出感度の高い磁気センサ及び磁界測定装置を提供する。【解決手段】半導体（シリコン）基板上にＴａ層を形成し、その上にＣｏＦｅＢ層である磁化自由層５０、Ｃｕ層である導電金属層４０、ＣｏＦｅ層である磁化固定層３０、ＭｎＩｒ層である反強磁性層２０及びアルミニウム層１０、をこの順で積層した多層膜をリソグラフィで線幅３０［μｍ］、長さ２００［μｍ］のセンサ部７０を形成する。さらに、センサ部７０の、磁化自由層５０の磁化容易軸の方向と直角方向の両端に、幅６００［μｍ］、長さ６００［μｍ］の電極部６０，６１とを形成する。この磁気センサ５をブリッジ回路９０の１辺に配置し、発振器８０からブリッジ回路９０に交番電流を印加し、磁化自由層の磁壁を振動的に移動させ、外部磁界に対する抵抗変化をしやすくすることにより、磁気センサ５の感度を向上させる。【選択図】図４
2010266247.tif 000002
【特許請求の範囲】
【請求項１】
磁化自由層、非磁性層、磁化固定層及び反強磁性層をこの順又はこの逆順で積層し、
前記磁化自由層の磁化容易軸の方向と同方向の成分を有する交番磁界を印加する交番磁界印加手段を備えたことを特徴とする磁気センサ。
【請求項２】
請求項１に記載の磁気センサにおいて、
前記非磁性層は、
導電性の金属材料を用いた金属導電層であることを特徴とする磁気センサ。
【請求項３】
請求項１に記載の磁気センサにおいて、
前記非磁性層は、
トンネル効果により磁化自由層から磁化固定層へ電流を流すトンネル絶縁層であることを特徴とする磁気センサ。
【請求項４】
請求項１〜請求項３の何れかに記載の磁気センサにおいて、
前記交番磁界印加手段は、
前記磁化自由層に印加する交番磁界がすべて前記磁化容易軸方向の成分であるように構成されていることを特徴とする磁気センサ。
【請求項５】
請求項１〜請求項４の何れかに記載の磁気センサにおいて、
前記交番磁界印加手段は、
前記反強磁性層又は前記磁化自由層の積層方向外側に積層され、前記磁化自由層の磁化容易軸と直角方向の両端に通電用電極を備えた導電性層であることを特徴とする磁気センサ。
【請求項６】
請求項１〜請求項３の何れかに記載の磁気センサにおいて、
前記磁化自由層の積層方向外側に積層された絶縁層を備え、
前記交番磁界印加手段は、
前記絶縁層の積層方向外側に積層され、前記磁化自由層の磁化容易軸と直角方向の両端に通電用電極を備えた導電性層であることを特徴とする磁気センサ。
【請求項７】
請求項５又は請求項６に記載の磁気センサにおいて、
前記交番磁界印加手段の導電性層がアルミニウム層であることを特徴とする磁気センサ。
【請求項８】
請求項５〜請求項７の何れかに記載の磁気センサにおいて、
前記反強磁性層、前記磁化固定層、前記非磁性層、前記磁化自由層及び前記導電性層は、１つの基板上に形成されていることを特徴とする磁気センサ。
【請求項９】
１辺の抵抗性素子を請求項１〜請求項８の何れかに記載の磁気センサとし、他の３辺の抵抗性素子を所定の値の抵抗とするブリッジ回路と、
前記ブリッジ回路に印加する交番電流を発生させる交番電流発生手段と、
前記ブリッジ回路の出力を差動入力とし、入力の差分を増幅して出力する差動増幅手段と、
前記差動増幅手段の出力側に、前記交番電流発生手段により前記ブリッジ回路に入力した交番電流の周波数の信号を遮断する低域通過型フィルタと、
を備えたことを特徴とする磁界測定装置。
【請求項１０】
請求項９に記載の磁界測定装置において、
前記交番電流発生手段は、
前記磁化自由層の磁化容易軸方向の透磁率が所定の値よりも低下する周波数以下の周波数の正弦波の交番磁界を前記ブリッジ回路に印加することを特徴とする磁界測定装置。
【発明の詳細な説明】
【技術分野】
【０００１】
本発明は、磁界の強さを計測するための磁気センサ及び磁界測定装置に関する。
【背景技術】
【０００２】
従来、磁界を検出する磁気センサには、フラックスゲートセンサ、磁性体を利用した磁気インピーダンスセンサ、ＧａＡｓなどの半導体を利用したホールセンサ、超伝導のＳＱＵＩＤなどがある。
【０００３】
一方、１９９０年代より研究開発が盛んに行われている巨大磁気抵抗素子（ＧＭＲ：Ｇｉａｎｔ  Ｍａｇｎｅｔｏ  Ｒｅｇｉｓｔａｎｃｅ）やスピントンネル素子（ＴＭＲ：Ｔｕｎｎｅｌ  Ｍａｇｎｅｔｏ  Ｒｅｓｉｓｔａｎｃｅ）は、これまでハードディスクの読み出しヘッドや磁気ランダムアクセスメモリ（ＭＲＡＭ：Ｍａｇｎｅｔｉｃ  Ｒａｎｄｏｍ  Ａｃｃｅｓｓ  Ｍｅｍｏｒｙ）への応用を中心に研究が進められてきた。
【０００４】
ＧＭＲやＴＭＲなどの磁気抵抗素子（外部磁界によって電気抵抗が変化する素子）は、磁化固定層及び磁化自由層の２つの磁性層の磁化方向の角度に依存して電気抵抗が変化する。磁化固定層の磁化方向は、反強磁性層と交換結合しているので、外部磁界に対して変化しないが、磁化自由層の磁化方向は変化する。したがって、２つの磁性層の磁化方向の角度が変化して抵抗が変化する。
【０００５】
このように自由層の磁化方向が外部磁界の方向に回転して抵抗が変化するタイプの磁気センサは磁化回転型と呼ばれ、ハードディスクの読み出しヘッドや磁気センサとして利用されている（例えば、特許文献１参照）。
【先行技術文献】
【特許文献】
【０００６】
【特許文献１】特開２０００−２５８５１７号公報
【発明の概要】
【発明が解決しようとする課題】
【０００７】
ところが、フラックスゲートセンサ、磁性体を利用した磁気インピーダンスセンサ、ＧａＡｓなどの半導体を利用したホールセンサ、超伝導のＳＱＵＩＤなどのセンサは、Ｓｉプロセスとの整合性がよいとはいえず、モノリシックＩＣ化は容易ではないという問題がある。
【０００８】
また、磁化回転型の磁気センサの感度は、小さな外部磁界に対して自由層の磁化が回転するかどうかで決まるが、磁化を回転させるためには、０．１［Ｏｅ］前後の磁界が必要であり、磁性材料の改良によっても大幅にこの値を引き下げることは困難である。つまり、外部磁界を引き下げることが困難であるために、微少な磁界を検出することが困難、換言すれば、磁界の検出感度を上げることが困難であるという問題がある。
【０００９】
本発明は、こうした問題に鑑みなされたもので、磁界の検出感度の高い磁気センサ及び磁界測定装置を提供することを目的とする。
【課題を解決するための手段】
【００１０】
かかる問題を解決するためになされた請求項１に記載の磁気センサは、磁化自由層（５０：この欄においては、発明に対する理解を容易にするため、必要に応じて「発明を実施するための形態」欄において用いた符号を付すが、この符号によって請求の範囲を限定することを意味するものではない。）、非磁性層（４０）、磁化固定層（３０）及び反強磁性層（２０）をこの順又はこの逆順で積層し、磁化自由層（５０）の磁化容易軸の方向と同方向の成分を有する交番磁界を印加する交番磁界印加手段（１０）を備えたことを特徴とする。
【００１１】
このような磁気センサは、磁界の検出感度の高い磁気センサとなる。以下説明する。
磁気抵抗素子は、一般的には、図１に示すように、磁化固定層（３０）及び磁化自由層（５０）の２つの磁性層の磁化方向が９０°となるように初期化されている。ここで、磁化固定層（３０）と平行に外部磁界が加わると、磁界の大きさに応じて、磁化自由層（５０）の磁化方向が回転するので、２つの磁性層（３０，５０）の角度に依存して電気抵抗が変化する。
【００１２】
このタイプのセンサをここでは，磁化回転型の磁気センサと呼ぶ。一方、２つの磁性層（３０，５０）の磁化方向が平行に初期化された磁気抵抗素子の場合には、図２に示すように磁化自由層（５０）にいくつかの磁区が存在し、磁化方向が異なる２つの磁区の境界、すなわち磁壁の位置が外部から印加される磁界によって移動する。このとき、磁化自由層（５０）の磁化の平均値が変化するので、抵抗が変化する。
【００１３】
このように、磁壁の位置が移動することによって抵抗が変化する磁気センサを磁壁移動型のセンサと呼ぶことにする。この磁壁を移動させるためには、磁壁抗磁力を越える磁界を加える必要があり、この磁壁抗磁力は、一般的に０．５［Ｏｅ］から数［Ｏｅ］はあるため、このままでは高感度の磁気センサにすることはできない。
【００１４】
しかし、磁壁には、一旦動き出すと非常に小さな磁界に対してもその運動状態が影響を受けやすくなるという性質がある。また、磁化自由層（５０）において磁化が向きやすい方向、すなわち磁化容易軸（図２中の左右方向に存在する）の方向に交番磁界を印加すると磁壁の運動状態を容易に作ることができる。
【００１５】
したがって、磁化自由層（５０）の磁化容易軸の方向と同じ方向の成分を有する交番磁界を印加することによって、磁壁を常に振動運動させれば、外部から印加される磁界に対する感度を高めた状態で磁界を検出することができるのである。
【００１６】
そこで、請求項１に記載のように、磁化自由層（５０）、非磁性層（４０）、磁化固定層（３０）及び反強磁性層（２０）をこの順又はこの逆順で積層し、磁化自由層（５０）の磁化容易軸の方向と同方向の成分を有する交番磁界を印加する交番磁界印加手段（１０）を備えるようにすると、磁化自由層（５０）の磁壁を振動運動させることができるので、磁気センサに外部から印加される磁界に対する感度を高めることができる。
【００１７】
このように、磁気センサの感度を高めることができるので、例えば、心臓から発生する磁界の検出など、微小な磁界を検出可能となる。また、大幅に感度を向上させることができるので、例えば、磁気センサを加速度センサや位置センサなどに用いれば、それらの性能が上がり、磁気センサの応用範囲を広げることが可能となる。
【００１８】
ここで、磁気センサは、外部から磁界が印加されても変化しない磁化固定層（３０）の磁化方向に対して、外部から磁界が印加されると変化する磁化自由層（５０）の磁化方向との間の角度が変化して生ずる抵抗値の変化を検出することによって、外部から印加される磁界を検出する。したがって、磁化固定層（３０）と磁化自由層（５０）との間に電流（センス電流）を流し、この電流変化を検出すれば抵抗値の変化を検出することができる。
【００１９】
そこで、請求項２に記載のように、非磁性層（４０）は、導電性の金属材料を用いた金属導電層（４０）であると、磁化固定層（３０）と磁化自由層（５０）との間に電流（センス電流）が流れる。したがって、この電流を検出すれば、抵抗値の変化を検出することができる。
【００２０】
また、請求項３に記載のように、トンネル効果により磁化自由層（５０）から磁化固定層（３０）へ電流を流すトンネル絶縁層（４２）であっても、磁化自由層（５０）から磁化固定層（３０）へ電流（センス電流）をトンネル電流として流すことができるので、抵抗値の変化を検出することができる。
【００２１】
トンネル絶縁層（４２）を形成する材料としては、酸化アルミニウム（Ａｉ2Ｏ3）や酸化マグネシウム（ＭｇＯ）などである。
また、このような磁気センサ（５，７，９）において、請求項４に記載のように、交番磁界印加手段（１０）は、磁化自由層（５０）に印加する交番磁界がすべて磁化容易軸方向の成分であるように構成されていると、最も効率よく磁化自由層（５０）に印加することができる。つまり、磁壁を最も効率よく振動運動をさせることができる。磁壁を最も効率よく振動させることができるので、磁気センサ（５，７，９）の感度を高めることができる。
【００２２】
交番磁界印加手段（１０）の構成としては、例えば、コイルによるものなど、いろいろな方法が考えられるが、磁気センサ（５，７，９）のサイズを小さくするには、コイルを設置することは得策ではない。また、磁壁を移動させるために必要となる交番磁界は、せいぜい数［Ｏｅ］程度であれば十分である。
【００２３】
したがって、請求項５に記載のように、磁化自由層（５０）の磁化容易軸と直角方向の両端に通電用電極（６０，６１）を備えた導電性層（１０）を、反強磁性層（２０）又は磁化自由層（５０）の積層方向外側に積層し、その導電性層（１０）に交番電流を印加すれば、アンペールの法則より磁化容易軸方向に交番磁界が発生するので、磁化自由層（５０）に交番磁界を加えることができる。
【００２４】
なお、「反強磁性層（２０）又は磁化自由層（５０）の積層方向外側」とは、各層を積層した際に反強磁性層（２０）と磁化自由層（５０）が積層された層の端の層となるので、積層方向に対して、その積層面の外側という意味である。
【００２５】
また、請求項６に記載のように、磁化自由層（５０）の外側に積層された絶縁層（１２０）を備え、交番磁界印加手段（１０）を、絶縁層（１２０）の外側に積層され、磁化自由層（５０）の磁化容易軸と直角方向の両端に通電用電極（６２，６３）を備えた導電性層（１０）としてもよい。
【００２６】
このようにすると、磁気抵抗素子（７０）に流れるセンス電流と、導電性層（１０）に流れる交番電流、つまり、磁壁の駆動電流とを分離することができるので、導電性層（１０）に流れる交番電流がセンス電流に重畳するノイズ成分となることがなくなる。したがって、より精度よく外部から印加される磁界を検出することができる。
【００２７】
なお、「磁化自由層（５０）の積層方向外側」とは、各層を積層した際に磁化自由層（５０）が積層された層の端の層となるので、積層方向に対して、その積層面の外側という意味である。
【００２８】
また、導電性層（１０）としては、金属など導電性のある材料で形成された層であればよいが、特に、請求項７に記載のように、アルミニウムを用いると、従来、半導体形成プロセスにおいて多用されているので、容易かつ安価に導電性層（１０）を形成することができる。
【００２９】
さらに、請求項８に記載のように、積層する反強磁性層（２０）、磁化固定層（３０）、非磁性層（４０）及び磁化自由層（５０）及び導電性層（１０）を１つの半導体基板上に形成すると、磁気センサ（５，７，９）を、いわゆる１チップ化することができるので、小型化することができる。半導体基板としては、例えばシリコン（Ｓｉ）基板などがある。
【００３０】
請求項９に記載の磁界測定装置（１，２）は、ブリッジ回路（９０）、交番電流発生手段（８０）、差動増幅手段（１００）及び低域通過型フィルタ（１１０）を備えている。
ブリッジ回路（９０）は、１辺の抵抗性素子を請求項１〜請求項８の何れかに記載の磁気センサ（５，７，９）とし、他の３辺の抵抗性素子を所定の値の抵抗とする回路であり、差動増幅手段（１００）は、ブリッジ回路（９０）出力を差動入力とし、入力の差分を増幅して出力するものである。
【００３１】
また、低域通過型フィルタ（１１０）は、差動増幅手段（１００）の出力側に、交番電流発生手段（８０）によりブリッジ回路（９０）に入力した交番電流の周波数の信号を遮断するフィルタである。
【００３２】
このような磁界測定装置（１，２）では、１辺に磁気センサ（５，７，９）、他の３辺に所定の値の抵抗が配置されたブリッジ回路（９０）に交番電流発生手段（８０）から交番電流が流される。そして、ブリッジ回路（９０）の出力が差動増幅手段（１００）に入力されて出力される。
【００３３】
このとき、磁気センサ（５，７，９）に外部から磁界が印加されると、交番電流発生手段（８０）から流された電流による磁気センサ（５，７，９）の端子電圧が変化する。つまり、外部から印加される磁界によって、磁気センサ（５，７，９）の抵抗値が変化するので、ブリッジ回路（９０）に電圧出力が発生する。つまり、外部から印加される磁界により、ブリッジ回路（９０）に電圧出力が発生する。
【００３４】
このとき、ブリッジ回路（９０）には、交番電流発生手段（８０）から所定の周波数の交番電流が流されているので、ブリッジ回路（９０）の出力も、交番電流と同じ周波数成分を有する。
【００３５】
そこで、ブリッジ回路（９０）に印加した交番電流の周波数の信号を低域通過型フィルタ（１１０）により遮断すれば、ブリッジ回路（９０）から出力される外部から印加される磁界による出力のみを検出することができる。
【００３６】
ところで、磁気センサ（５，７，９）の感度は、近似的には磁化自由層（５０）の透磁率に比例すると考えられる。ところが、透磁率は、磁性材料の磁気異方性の容易軸方向（磁化容易軸）と困難軸方向（磁化困難軸）で異なっており、低い周波数では、磁化容易軸方向の方が、透磁率が大きくなる。
【００３７】
これは、磁化容易軸方向の透磁率が磁壁の移動に起因するためである。一方、磁化困難軸方向の透磁率は、磁化回転に起因するため高い周波数まで低下しない。また、磁化容易軸方向及び磁化困難軸方向の透磁率は材料によって異なる。
【００３８】
したがって、請求項１０に記載のように、交番磁界印加手段（１０）は、磁化自由層（５０）の磁化容易軸方向の透磁率が所定の値よりも低下する周波数以下の周波数の正弦波の交番磁界を印加するようにすると、磁化容易軸方向の透磁率が大きい範囲、つまり、磁壁が効率よく移動できる周波数の交番磁界を印加することにより、磁壁を効率よく移動させることができるので、磁気センサ（５，７，９）の感度を上げることができ、ひいては、磁界測定装置（１，２）の磁界検出感度を上げることができる。
【図面の簡単な説明】
【００３９】
【図１】磁化回転型の磁気センサにおいて、磁化固定層及び磁化自由層の２つの磁性層の磁化方向の角度に依存して電気抵抗が変化する様子を模式的に示す図である。
【図２】磁壁移動型の磁気センサにおいて、磁化自由層の磁壁の位置が外部から印加される磁界によって移動する様子を模式的に示す図である。
【図３】第１実施形態における磁界測定装置の概略の構成を示す回路図である。
【図４】第１実施形態における磁気センサの概略の構造を示す構造図である。
【図５】第１実施形態における磁化自由層の磁壁の動きの時間的変化を模式的に示した図である。
【図６】第１実施形態におけるブリッジ回路の磁気センサの代わりに、従来型の磁化回転型センサを配置したときの外部磁界Ｈｅｘとセンサ出力電圧Ｖｏｕｔの関係を示す図である。
【図７】第１実施形態において、ブリッジ回路に磁壁移動型センサである磁気センサを配置し、交番電流を流さないときの外部磁界Ｈｅｘとセンサ出力電圧Ｖｏｕｔの関係を示す図である。
【図８】第１実施形態において、磁気センサに１６０［ｋＨｚ］、１８［ｍＡ］の正弦波交番電流を流し、磁壁を正弦波的に振動させたときの外部磁界Ｈｅｘとセンサ出力電圧Ｖｏｕｔの関係を示す。
【図９】第１実施形態において、磁気センサに印加する交番電流の値を変えて同様の測定を行った結果を示す。
【図１０】第２実施形態における磁気センサの概略の構造を示す構造図である。
【図１１】第２実施形態における磁界測定装置の概略の構成を示す回路図である。
【図１２】第３実施形態における磁気センサの概略の構造を示す構造図である。
【発明を実施するための形態】
【００４０】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
図３は、本発明が適用された磁界測定装置１の概略の構成を示す回路図であり、図４は、磁気センサ５の概略の構造を示す構造図である。磁界測定装置１は、図３に示すように、磁気センサ５、ブリッジ回路９０、発振器８０、差動増幅器１００、低域通過型フィルタ１１０（以下、ＬＰＦ１１０と呼ぶ）を備えている。
【００４１】
磁気センサ５は、いわゆる巨大磁気抵抗効果（ＧＭＲ）を用いた磁気センサであり、図４に示すように、図示しない半導体基板（例えばシリコン（Ｓｉ））基板上に、厚さ５［ｎｍ］のＴａ層を形成し、その上に磁化自由層５０、導電金属層４０、磁化固定層３０、反強磁性層２０及びアルミニウム層１０、をこの順で積層した多層膜を形成する。この多層膜に、リソグラフィで線幅３０［μｍ］、長さ２００［μｍ］のセンサ部７０を形成する。
【００４２】
さらに、センサ部７０の、磁化自由層５０の磁化容易軸の方向と直角方向の両端に、幅６００［μｍ］、長さ６００［μｍ］の電極部６０，６１とを形成する。この電極部６０，６１は、発振器８０の出力電流を入力するための通電電極と出力電圧を検出するための検出電極とを兼ねている。
【００４３】
アルミニウム層１０は、厚さ２０［ｎｍ］のＡｌ層であり、反強磁性層２０は、厚さ２０［ｎｍ］のＭｎＩｒ層であり、磁化固定層３０は厚さ２．２［ｎｍ］のＣｏＦｅ層であり、導電金属層は厚さ２．２［ｎｍ］のＣｕ層であり、磁化自由層５０は、厚さ１０［ｎｍ］のＣｏＦｅＢ層である。
【００４４】
このように、半導体（シリコン）基板上に、Ｔａ層、磁化自由層５０、導電金属層４０、磁化固定層３０、反強磁性層２０及びアルミニウム層１０を積層して多層膜を形成する方法は特殊なプロセスを必要とせず、公知の薄膜形成プロセスで行えばよい。
【００４５】
発振器８０は、ブリッジ回路９０に印加する交番電流を発生させる発振器であり、本第１実施形態では、１４０［ｋＨｚ］の周波数の正弦波を出力する。
ブリッジ回路９０は、図３に示すように、ブリッジを構成する４辺のうち、１辺に磁気センサ５を配置し、他の３辺にそれぞれ抵抗Ｒ１、抵抗Ｒ２及び抵抗Ｒ３を配置している。
【００４６】
発振器８０の出力を、抵抗Ｒ１と抵抗Ｒ２との接続点及び抵抗Ｒ３と磁気センサ５の一方の電極部６０との接続点に印加する。そして、抵抗Ｒ１と磁気センサ５の他方の電極部６１との接続点及び抵抗２と抵抗３との接続点の電圧を出力として差動増幅器１００に入力する。この結果、磁気センサ５の電極部６０，６１に抵抗Ｒ１を介して発振器８０からの周波数１４０［ｋＨｚ］の正弦波電流信号が印加される。
【００４７】
差動増幅器１００は、ブリッジ回路９０の出力を差動入力とし、入力の差分を増幅して出力する。すなわち、ブリッジ回路９０の抵抗Ｒ１と磁気センサ５の一方の電極部６１との接続点を差動入力のマイナス端子に接続し、ブリッジ回路９０の抵抗Ｒ２と抵抗Ｒ３の接続点の電圧を差動入力のプラス端子に接続することにより、プラス端子とマイナス端子の差分を増幅して出力する。
【００４８】
ＬＰＦ１１０は、差動増幅器１００の出力側に設けられたダイオード１０２で整流された出力からカットオフ周波数ｆｃ以上の成分の信号を遮断する低域通過型フィルタ（ローパスフィルタ）である。
【００４９】
ＬＰＦ１１０は、１個のオペアンプ１１２と２個の抵抗Ｒ５，Ｒ６及び２個のコンデンサＣ１，Ｃ２からなる二次型のローパスフィルタであり、カットオフ周波数ｆｃは、ｆｃ＝１／（２π（Ｃ１×Ｃ２×Ｒ５×Ｒ６）1/2）で表される。
【００５０】
ここで、ＬＰＦ１１０は、発振器８０からブリッジ回路９０に入力された交番電流の周波数の信号を遮断するために、本第１実施形態では、ｆｃ＝２［ｋＨｚ］となるように抵抗Ｒ１，Ｒ２及びコンデンサＣ１，Ｃ２を選定した。
【００５１】
なお，ここでｆｃ＝２［ｋＨｚ］としたのは，この回路を１ｋＨｚ以下の信号が検出できるように設計したためであり、ｆｃの値は、信号の周波数帯域に応じて設定すればよい。ただし、ｆｃは、発振器８０から入力される交番電流の周波数１４０［ｋＨｚ］より十分低く、ＬＰＦ１１０で分離可能な周波数である必要がある。
【００５２】
（磁界測定装置１の作動）
このように構成された、磁界測定装置１の磁気センサ５に外部磁界Ｈｅｘが印加された場合の磁界測定装置１の作動について図５に基づき説明する。図５は、磁化自由層５０の磁壁の動きの時間的変化を模式的に示した図である。
【００５３】
発振器８０から１４０［ｋＨｚ］の正弦波電流信号がブリッジ回路９０に印加される、つまり、磁気センサ５の電極部６０，６１に正弦波電流信号が印加されると、アンペールの法則より磁化自由層５０の磁化容易軸方向に交番磁界が発生する（図４中のセンサ部７０を取り巻くように記載されている矢印で示す。）。したがって、磁化自由層５０の磁化容易軸方向に交番磁界を加えることができる。
【００５４】
磁化容易軸方向、つまり、磁壁と同方向に交番磁界が印加されると、磁壁の位置（図５（ａ）中に「Ａ」で示す位置）は、時間とともに図５（ａ）に示すように正弦波的に変化する。この状態に対して、外部磁界Ｈｅｘが印加されると、図５（ｂ）に示すように振動的に変化する磁壁の位置（図５（ａ）中に「Ａ」で示す位置）が移動する。
【００５５】
この場合、磁気センサ５の抵抗の値は、磁壁の振動に対応した変化に外部から印加された磁界Ｈｅｘによる変化が重畳したものとなる。したがって、磁気センサ５の電極部６０，６１に発振器８０からの交番電流信号を印加したときの電極部６０，６１の出力電圧から発振器８０の交番電流信号の周波数成分をＬＰＦ１１０でカットしたものが検出すべき信号成分、つまり、外部から印加された磁界の検出値となる。
【００５６】
（比較実験の結果）
次に、従来型のセンサである磁化回転型センサと本願発明を適用した磁壁移動型磁気センサである磁気センサ５との性能比較を行った。比較した両磁気センサは、いずれも図４に示すように、線幅３０［μｍ］、長さ２００［μｍ］のセンサ部を有するように加工した。
【００５７】
図６に、図３に示すブリッジ回路９０の磁気センサ５の代わりに、従来型の磁化回転型センサを配置したときの１［ｋＨｚ］の外部磁界Ｈｅｘとセンサ出力電圧Ｖｏｕｔの関係を示す。
【００５８】
図６（ａ）は、外部磁界Ｈｅｘが０から５［Ｏｅ］の範囲の特性を示しており、ＶｏｕｔとＨｅｘは、ほぼ比例関係にあり、外部磁界Ｈｅｘに比例したセンサ出力電圧Ｖｏｕｔが得られている。
【００５９】
図６（ｂ）は、外部磁界Ｈｅｘが０．５［Ｏｅ］以下の特性を示しており、外部磁界Ｈｅｘを下げるに従ってセンサ出力電圧Ｖｏｕｔはほぼ比例して減少しているが、０．０５［Ｏｅ］付近から比例関係から外れている。したがって、従来型の磁化回転型センサの感度は、約０．０５［Ｏｅ］である。
【００６０】
また、図７に、図３に示すブリッジ回路９０に磁壁移動型センサである磁気センサ５を配置し、交番電流を流さないときの１［ｋＨｚ］の外部磁界Ｈｅｘとセンサ出力電圧Ｖｏｕｔの関係を示す。
【００６１】
この場合には、磁壁抗磁力の２．５［Ｏｅ］までは、磁壁が動かないため、センサ出力信号がほとんど現れないが、２．５［Ｏｅ］を超えると急激にセンサ出力電圧Ｖｏｕｔが大きくなっている。
【００６２】
これに対し、図８に、磁気センサ５に１６０［ｋＨｚ］、１８［ｍＡ］の正弦波交番電流を流し、磁壁を正弦波的に振動させたときの外部磁界Ｈｅｘとセンサ出力電圧Ｖｏｕｔの関係を示す。
【００６３】
図８（ａ）に示すように、外部磁界Ｈｅｘが５［Ｏｅ］以下で外部磁界Ｈｅｘにほぼ比例したセンサ出力電圧Ｖｏｕｔが得られている。また、図８（ｂ）に示すように、０．０３［Ｏｅ］以下の外部磁界においても、０．００１［Ｏｅ］（１００ｎＴ）から外部磁界Ｈｅｘに比例したセンサ出力電圧Ｖｏｕｔが得られており、従来型の磁化回転型センサに比べ１桁以上高い磁界感度が得られていることが分かる。
【００６４】
さらに、図９に、磁気センサ５に印加する交番電流の値を変えて同様の測定を行った結果を示す。図９（ａ）に示すように、交番電流が１４０［ｋＨｚ］、１８［ｍＡ］の場合には、外部磁界Ｈｅｘにほぼ比例した出力が低外部磁界から得られているのに対し、５．７［ｍＡ］の場合には、外部磁界Ｈｅｘが３［Ｏｅ］付近までほとんどセンサ出力電圧Ｖｏｕｔが現れず、３［Ｏｅ］を超えるとセンサ出力電圧Ｖｏｕｔが増加している。
【００６５】
また、図９（ｂ）に、外部磁界Ｈｅｘを２．４［Ｏｅ］に固定し、磁気センサ５に流す交番電流の値に対するセンサ出力電圧Ｖｏｕｔを測定したものを示す。図９（ｂ）に示すように、交番電流が低い場合には、交番磁界の値が小さく、磁壁の振動的な運動が起きないため、センサ出力電圧Ｖｏｕｔがほとんど得られないが、交番電流が９［ｍＡ］を超えると磁壁が振動的に動くようになり、磁気センサ５の感度が向上して大きなセンサ出力電圧Ｖｏｕｔが得られるようになることを示している。
【００６６】
前述のように、１０［ｍＡ］の交番電流が作る磁界は、約２［Ｏｅ］であるので、磁壁を振動的に移動させるために必要な交番磁界は、２［Ｏｅ］程度であることが分かる。これは、交番磁界を加えない場合（図７）にセンサ出力電圧Ｖｏｕｔが出力され始める磁界、すなわち磁壁が動き始める磁界が約２．５［Ｏｅ］であることとほぼ一致している。
【００６７】
以上より、本発明を適用した磁壁移動型の磁気センサ５が従来型の磁化回転型センサより１０倍以上高い感度を示すことが確認された。
（磁界測定装置１の特徴）
以上に説明した磁気センサ５は、一旦動き出すと非常に小さな磁界に対してもその運動状態が影響を受けやすくなるという性質がある磁化自由層５０の磁壁を発振器８０から入力される交番電流により正弦波的に振動させることにより、磁気センサ５に外部から印加される磁界に対する感度を高めることができる。
【００６８】
また、磁化容易軸に直角方向に配置されたアルミニウム層１０により、磁化自由層５０に印加する交番磁界がアンペールの法則により、すべて磁化容易軸方向の成分であるように構成されているので、最も効率よく磁化自由層５０に印加することができる。つまり、磁壁を最も効率よく振動運動をさせることができるので磁気センサ５の感度を高めることができる。
【００６９】
また、アルミニウム層１０は、従来、多用されている半導体形成プロセスにより、容易かつ安価に形成することができる。さらに、積層する反強磁性層２０、磁化固定層３０、導電金属層４０及び磁化自由層５０及びアルミニウム層１０を１つの半導体（シリコン）基板上に形成している。したがって、磁気センサ５を、いわゆる１チップ化することができるので、小型化することができる。
【００７０】
また、アルミニウム層１０は、磁化自由層５０の磁化容易軸方向の透磁率が所定の値よりも低下する周波数以下の周波数の正弦波の交番磁界を印加している。つまり、磁壁が効率よく移動できる周波数の交番磁界を印加しているので、磁壁を効率よく移動させることができる。したがって、磁気センサ５の感度を上げることができる。
［第２実施形態］
次に、第１実施形態の磁気センサ５を図１０に示す構造を有する磁気センサ７にした場合の第２実施形態について説明する。
【００７１】
第２実施形態では、図１１に示す磁界測定装置２のブリッジ回路９０に、磁気センサ７を配置するものである。なお、磁界測定装置２の構成は、第１実施形態の磁界測定装置１に類似しているので、同じ構成品には同じ符号を付し、その説明を省略する。
【００７２】
第２実施形態で用いる磁気センサ７は、いわゆる巨大磁気抵抗効果（ＧＭＲ）を利用した磁気センサであり、図１０に示すように、図示しない半導体（シリコン）基板上にアルミニウム層１０を積層し、その上に絶縁層１２０を積層する。絶縁層１２０は、例えば、酸化アルミニウム（Ａｌ2Ｏ3）や酸化シリコン（ＳｉＯ2）の層である。
【００７３】
そして、絶縁層１２０の上に、磁化自由層５０、導電金属層４０、磁化固定層３０、及び反強磁性層２０をこの順に積層して構成する。各層が積層されたものの両端部分には、外部磁界Ｈｅｘにより誘起されるセンス電流を検出するための検出電極６４，６５が形成されている。
【００７４】
アルミニウム層１０は、磁化自由層５０の磁化容易軸（図１０中「Ｂ」で示す矢印の方向）と直角方向の両端に通電電極６２，６３が設けられており、この通電電極６２，６３に発振器８０からの交番電流が流される。交番電流が流れると、アンペールの法則に従ってセンサ部７０の磁化自由層５０の磁化容易軸方向の交番磁界が発生する。
【００７５】
このように構成された磁気センサ７を図１１に示す磁界測定装置２のブリッジ回路９０に配置する。つまり、発振器８０の出力を磁気センサ７の通電電極６２，６３に接続し磁気センサ７に１４０［ｋＨｚ］の交番電流を印加する。
【００７６】
この状態で、１［ｋＨｚ］の外部磁界Ｈｅｘを印加すると、図１０中の検出電極６４と検出電極６５の間のセンサ部７０にセンス電流（直流又は交流）が流れるので、この電流を検出電極６４，６５で取り出す。
【００７７】
つまり、図１１に示すように、検出電極６４を抵抗Ｒ１の一端に接続し、検出電極６５をＧＮＤに接続する。そして、検出電極６４をブリッジ回路９０の一方の出力として差動増幅器１００のマイナス端子に入力すれば、第１実施形態と同様に、外部から印加された磁界Ｈｅｘによる磁気センサ７の抵抗変化を検出することができる。
【００７８】
なお、図１１において、磁気センサ７が２箇所記載されているが、これは、磁気センサ７及び磁界測定装置２の機能の説明を分かりやすくするために、実際には１個の磁気センサ７を模式的に２箇所に分けて記載しているためである。
【００７９】
つまり、発振器８０から磁気センサ７の通電電極６２，６３を印加するための回路部分と磁気センサ７の検出電極６４，７６からセンス電流を検出するためのブリッジ回路９０部分とを模式的に分割して表示しているためである。
【００８０】
このようにすると、センサ部７０に流れる外部磁界によって励起されるセンス電流（直流又は交流）と導電性層に流れる交番電流、つまり、磁壁の駆動電流を分離することができるので、導電性層に流れる交番電流がセンス電流に重畳することがなくなる。したがって、より低ノイズで外部から印加される磁界Ｈｅｘを検出することができる。
【００８１】
［第３実施形態］
次に、第２実施形態の磁気センサ７を図１２に示す構造を有する磁気センサ９に置き換えた第３実施形態について説明する。第３実施形態では、図１１に示す磁界測定装置２のブリッジ回路９０に、磁気センサ９を配置した。ブリッジ回路９０の構成は、第２実施形態のブリッジ回路９０と同じであるので、その説明を省略する。
【００８２】
磁気センサ９は、いわゆるスピントンネル効果（ＴＭＲ）を利用した磁気センサであり、図１２に示すように、図示しない半導体（シリコン）基板上にアルミニウム層１０を積層し、その上に絶縁層１２０を積層する。アルミニウム層１０の両端には、通電電極６２，６３を形成する。
【００８３】
絶縁層１２０の上には、厚さ５［ｎｍ］のＴａと厚さ５［ｎｍ］のＮｉＦｅを積層した下地層１４０を積層し、下地層１４０の上に、反強磁性層２０、磁化固定層３０、トンネル絶縁層４２、磁化自由層５０をこの順に積層する。さらに、磁化自由層５０の上に検出電極６４を設けるための、アルミニウムの導電性層１３０を形成する。
【００８４】
なお、下地層１４０としては、ＮｉＦｅの代わりにＣｏＦｅを用いてもよい。
トンネル絶縁層４２は、酸化アルミニウム（Ａｌ2Ｏ3）或いは酸化マグネシウム（ＭｇＯ）の層であり、トンネル効果により磁化自由層５０から磁化固定層３０へ電流（センス電流）を流す層である。
【００８５】
導電性層１３０には、アルミニウム層１０の両端の通電電極６２，６３を結ぶ線と直角方向の一端に磁化自由層５０から突出した検出電極６４を形成する。また、磁化固定層３０、反強磁性層２０及び下地層１４０が積層されている部分において、検出電極６４と対向する一端に、トンネル絶縁層４２から突出するように検出電極６５を形成する。
【００８６】
通電電極６２，６３に発振器８０からの交番電流が流れると、アンペールの法則に従ってセンサ部７０の磁化自由層５０の磁化容易軸方向の交番磁界が発生する。
このように構成された磁気センサ９を、第２実施形態と同様に図１１に示すブリッジ回路９０に配置し、発振器８０の出力を磁気センサ７の通電電極６２，６３に接続し磁気センサ７に１４０［ｋＨｚ］の交番電流を印加する。
【００８７】
この状態で、１［ｋＨｚ］の外部磁界Ｈｅｘを印加すると、図１２中の検出電極６４と検出電極６５の間にセンス電流（直流又は交流）が流れるので、この電流を検出電極６４，６５で取り出すと、第２実施形態と同様に、外部から印加された磁界Ｈｅｘによる磁気センサ７の抵抗変化を検出することができる。
【００８８】
このように、磁界測定装置２に、ＴＭＲ効果を利用した磁気センサ９を用いても、外部磁界Ｈｅｘによって励起されるセンス電流（直流又は交流）と導電性層に流れる交番電流、つまり、磁壁の駆動電流を分離することができるので、導電性層に流れる交番電流がセンス電流に重畳することがなくなる。したがって、より低ノイズで外部から印加される磁界Ｈｅｘを検出することができる。
【００８９】
［その他の実施形態］
（１）上記実施形態では、シリコン基板上にアルミニウム層１０、反強磁性層２０、磁化固定層３０、導電金属層４０、或いはトンネル絶縁層４２、磁化自由層５０を積層して磁気センサ５，７，９を形成していたが、同じシリコン基板上にブリッジ回路９０を形成し、磁気センサ５，７，９とブリッジ回路９０とを一体化して形成してもよい。
【００９０】
（２）また、磁気センサ５，７，９とブリッジ回路９０とを別基板で形成する場合には、磁気センサ５，７，９をガラス基板上に形成してもよい。
（３）ＴＭＲ効果を利用した磁気センサ９を磁界測定装置２に用いたが、同じ磁気センサ９を第１実施形態における磁界測定装置１に用いても、第１実施形態における磁界測定装置１と同じ効果を得ることができる。
【００９１】
（４）また、第３実施形態における磁気センサ９では、半導体（シリコン）基板上に、通電電極６２，６３を有するアルミニウム層１０、絶縁層１２０、下地層１４０、反強磁性層２０、磁化固定層３０、トンネル絶縁層４２、磁化自由層５０をこの順に積層し、さらに、磁化自由層５０の上に検出電極６４を設けるための、アルミニウムの導電性層１３０を積層していたが、積層の順を変えてもよい。
【００９２】
つまり、半導体（シリコン）基板上に、下地層１４０、反強磁性層２０、磁化固定層３０、トンネル絶縁層４２、磁化自由層５０、検出電極６４を設けるためのアルミニウムの導電性層１３０を積層し、その上に絶縁層１２０を積層し、さらに、その上に通電電極６２，６３を有するアルミニウム層１０を積層するようにしても、第３実施形態の磁気センサ９と同じ効果を得ることができる。
【００９３】
（５）上記実施形態では、ＬＰＦ１１０を受動素子で構成した二次型のローパスフィルタとしたが、より高次のフィルタにしてもよいし、バタワースフィルタやチェビシェフフィルタなどのアクティブフィルタを用いてもよい。
【符号の説明】
【００９４】
１，２…磁界測定装置、５，７，９…磁気センサ、１０…アルミニウム層、２０…反強磁性層、３０…磁化固定層、４０…導電金属層、４２…トンネル絶縁層、５０…磁化自由層、６０，６１…電極部、６２，６３…通電電極、６４，６５…検出電極、７０…センサ部、８０…発振器、９０…ブリッジ回路、１００…差動増幅器、１０２…ダイオード、１１０…低域通過型フィルタ、１１２…オペアンプ、１２０…絶縁層、１３０…導電性層、１４０…下地層。
【図１】
2010266247.tif 000003
【図２】
2010266247.tif 000004
【図３】
2010266247.tif 000005
【図５】
2010266247.tif 000006
【図６】
2010266247.tif 000007
【図７】
2010266247.tif 000008
【図８】
2010266247.tif 000009
【図９】
2010266247.tif 000010
【図１０】
2010266247.tif 000011
【図１１】
2010266247.tif 000012
【図４】
2010266247.tif 000013
【図１２】
2010266247.tif 000014